(57)【要約】【課題】  シャドーマスクを用いて金属膜を蒸着することにより、別途のフォトリソグラフィ工程や金属膜のエッチング工程を利用しなくても、効率よく手足理美容器具を製造することのできる手足理美容器具の製造方法を提供する。【解決手段】  本発明は、ガラスプレート及び多数枚のシャドーマスクを用いて手足理美容器具を製造する方法において、前記多数枚のシャドーマスクを前記ガラスプレートの上面に所定の間隔を隔てて貼り付けるステップと、前記多数枚のシャドーマスクが貼り付けられていないガラスプレートの上面に金属膜をスパッタリング工程を用いて蒸着するステップと、前記ガラスプレートの上面から前記多数枚のシャドーマスクを引き剥がすステップと、前記金属膜が蒸着されていないガラスプレートの上面をエッチングして溝部を形成するステップと、を含む手足理美容器具の製造方法を提供する。【選択図】      図１ａ
2019150270.tif 000002
【特許請求の範囲】
【請求項１】
ガラスプレート及び多数枚のシャドーマスクを用いて手足理美容器具を製造する方法において、
前記多数枚のシャドーマスクを前記ガラスプレートの上面に所定の間隔を隔てて貼り付けるステップと、
前記多数枚のシャドーマスクが貼り付けられていないガラスプレートの上面に金属膜をスパッタリング工程を用いて蒸着するステップと、
前記ガラスプレートの上面から前記多数枚のシャドーマスクを引き剥がすステップと、
前記金属膜が蒸着されていないガラスプレートの上面をエッチングして溝部を形成するステップと、を含む手足理美容器具の製造方法。
【請求項２】
前記多数枚のシャドーマスクは、磁性体又はＳＵＳにより形成されたことを特徴とする請求項１に記載の手足理美容器具の製造方法。
【請求項３】
前記金属膜の高さは、１０ｎｍ〜１０００ｎｍであることを特徴とする請求項１に記載の手足理美容器具の製造方法。
【請求項４】
前記金属膜は、金、モリブデン、タングステン又はクロムにより蒸着されることを特徴とする請求項１に記載の手足理美容器具の製造方法。
【請求項５】
前記金属膜が蒸着されていないガラスプレートの上面をエッチングして溝部を形成するステップにおいて、前記ガラスプレートの上面は、約５μｍ〜３０μｍエッチングされることを特徴とする請求項１に記載の手足理美容器具の製造方法。
【請求項６】
前記ガラスプレートの厚さは、０．１ｍｍ〜５ｍｍであることを特徴とする請求項１に記載の手足理美容器具の製造方法。
【請求項７】
前記ガラスプレートとしては、フローティング方式により製造されたものが用いられることを特徴とする請求項１に記載の手足理美容器具の製造方法。
【発明の詳細な説明】
【技術分野】
【０００１】
本発明は、手足理美容器具の製造方法に係り、更に詳しくは、シャドーマスクを用いて金属膜を蒸着することにより、別途のフォトリソグラフィ工程や金属膜のエッチング工程を利用しなくても、効率よく手足理美容器具を製造することのできる手足理美容器具の製造方法に関する。
【背景技術】
【０００２】
一般に、手足理美容器具は、長く伸びた手の爪や足の爪を切断した後、切断された先端を磨いて仕上げたり、手の爪又は足の爪の表面を磨いてツヤを出したりすることにより、手の爪又は足の爪の見栄えを良くする。なお、手足理美容器具は、足や皮膚などの角質を引き剥がすためにも使用可能である。
【０００３】
従来には、この種の手足理美容器具は、ガラスプレートの前面に金属膜を蒸着した後、金属膜の上面にフォトレジスト膜をコーティングし、光を照射して現像するフォトリソグラフィ工程を行い、再び金属膜をパターンの通りにエッチングする工程を行って製造していた。
【０００４】
従来の手足理美容器具の製造方法は、上述したように、フォトリソグラフィ工程及び金属膜エッチング工程が必須的であるため、あまりにも複雑であり、しかも、製造コストが高騰し、このようなフォトリソグラフィ工程及び金属膜のエッチング工程が作業環境、作業温度又は作業湿度などに敏感であるが故に、大量の不良が生じる可能性が非常に高かった。
【０００５】
本発明の背景技術は、大韓民国公開特許公報第１０−２０１１−０１１７５３３号に開示されている。
【先行技術文献】
【特許文献】
【０００６】
【特許文献１】大韓民国公開特許第１０−２０１１−０１１７５３３号公報
【発明の概要】
【発明が解決しようとする課題】
【０００７】
したがって、本発明は、従来の技術の問題を解消するために案出されたものであり、本発明が解決しようとする技術的課題は、シャドーマスクを用いて金属膜を蒸着することにより、別途のフォトリソグラフィ工程や金属膜のエッチング工程を利用しなくても、効率よく手足理美容器具を製造することのできる手足理美容器具の製造方法を提供することである。
【０００８】
本発明が解決しようとする技術的課題は、上述した技術的課題に何等制限されるものではなく、未言及の他の技術的課題は、以下の記載から本発明が属する技術分野において通常の知識を有する者により明確に理解できる筈である。
【課題を解決するための手段】
【０００９】
上述した技術的課題を解決するために、本発明の一実施の形態による手足理美容器具の製造方法は、ガラスプレート及び多数枚のシャドーマスクを用いて手足理美容器具を製造する方法において、前記多数枚のシャドーマスクを前記ガラスプレートの上面に所定の間隔を隔てて貼り付けるステップと、前記多数枚のシャドーマスクが貼り付けられていないガラスプレートの上面に金属膜をスパッタリング工程を用いて蒸着するステップと、前記ガラスプレートの上面から前記多数枚のシャドーマスクを引き剥がすステップと、前記金属膜が蒸着されていないガラスプレートの上面をエッチングして溝部を形成するステップと、を含む。
【００１０】
本発明の一実施の形態による手足理美容器具の製造方法において、前記多数枚のシャドーマスクは、磁性体又はＳＵＳにより形成されることが好ましい。
【００１１】
本発明の一実施の形態による手足理美容器具の製造方法において、前記金属膜の高さは、１０ｎｍ〜１０００ｎｍであることが好ましい。
【００１２】
本発明の一実施の形態による手足理美容器具の製造方法において、前記金属膜は、金、モリブデン、タングステン又はクロムにより蒸着されることが好ましい。
【００１３】
本発明の一実施の形態による手足理美容器具の製造方法において、前記金属膜が蒸着されていないガラスプレートの上面をエッチングして溝部を形成するステップにおいて、前記ガラスプレートの上面は、約５μｍ〜３０μｍエッチングされることが好ましい。
【００１４】
本発明の一実施の形態による手足理美容器具の製造方法において、前記ガラスプレートの厚さは、０．１ｍｍ〜５ｍｍであることが好ましい。
【００１５】
本発明の一実施の形態による手足理美容器具の製造方法において、前記ガラスプレートとしては、フローティング方式により製造されたものが用いられることが好ましい。
【発明の効果】
【００１６】
本発明の実施の形態による手足理美容器具の製造方法は、シャドーマスクを用いて金属膜を蒸着することにより、別途のフォトリソグラフィ工程や金属膜のエッチング工程を利用しなくても、効率よく手足理美容器具を製造することができる。
【００１７】
また、本発明の実施の形態による手足理美容器具の製造方法は、工程が単純化されて不良率を画期的に下げることができるので、製造コストを有効に削減することができる。
【図面の簡単な説明】
【００１８】
【図１ａ】本発明の実施の形態による手足理美容器具の製造方法の細部工程を示す断面図である。
【図１ｂ】本発明の実施の形態による手足理美容器具の製造方法の細部工程を示す断面図である。
【図１ｃ】本発明の実施の形態による手足理美容器具の製造方法の細部工程を示す断面図である。
【図１ｄ】本発明の実施の形態による手足理美容器具の製造方法の細部工程を示す断面図である。
【図１ｅ】本発明の実施の形態による手足理美容器具の製造方法の細部工程を示す断面図である。
【発明を実施するための形態】
【００１９】
後述する本発明についての詳細な説明は、本発明が実施可能な特定の実施の形態を例示する添付図面に基づいて行う。これらの実施の形態は、当業者が本発明を十分に実施できる程度に詳細に説明される。本発明の様々な実施の形態は異なるとはいえ、互いに排他的である必要はないことが理解されるべきである。例えば、ここに記載されている特定の形状、構造及び特性は、一実施の形態に関連して本発明の精神及び範囲を逸脱しないながらも他の実施の形態に具体化される。また、それぞれの開示された実施の形態内の個別的な構成要素の一又は配置は、本発明の精神及び範囲を逸脱しない範囲内において変更可能であるということが理解される筈である。よって、後述する本発明の詳細な説明は、限定的な意味として取ろうとするものではなく、本発明の範囲は、適切に説明される限り、その請求項が主張するものと均等な全ての範囲とともに添付された請求項によってのみ限定される。図中、同じ参照符号は、色々な側面に亘って同一又は異なる機能を指し示し、長さ及び面積、厚さなどとその形状は、説明し易さのために誇張されて表現可能である。
【００２０】
本発明の一実施の形態による手足理美容器具の製造方法は、図１ａ及び図１ｂに示すように、ガラスプレート１００及び多数枚のシャドーマスク２０１、２０２、２０３、２０４、２０５、２０６を用いて製造する。
【００２１】
ここで、前記ガラスプレート１００の厚さは、０．１ｍｍ〜５ｍｍであることが好ましく、フローティング方式により製造されたガラスプレート１００が用いられることが好ましい。
【００２２】
一方、前記多数枚のシャドーマスクは、磁性体又はＳＵＳにより形成されることが好ましい。
【００２３】
まず、図１ｂに示すように、前記多数枚のシャドーマスク２０１、２０２、２０３、２０４、２０５、２０６を前記ガラスプレート１００の上面に所定の間隔を隔てて貼り付ける。具体的に、前記多数枚のシャドーマスク２０１、２０２、２０３、２０４、２０５、２０６は、両面テープを用いて前記ガラスプレート１００の上面に貼り付ける。
【００２４】
或いは、ガラスプレート１００の上面に面磁石を取り付けた後、多数枚のシャドーマスク２０１、２０２、２０３、２０４、２０５、２０６を前記面磁石の上に貼り付けてもよい。
【００２５】
次いで、図１ｃに示すように、前記多数枚のシャドーマスク２０１、２０２、２０３、２０４、２０５、２０６が貼り付けられていないガラスプレート１００の上面に金属膜３０１、３０２、３０３、３０４、３０５をスパッタリング（ｓｐｕｔｔｅｒｉｎｇ）工程を用いて蒸着する。ここで、前記金属膜３０１、３０２、３０３、３０４、３０５の高さは、１０ｎｍ〜１０００ｎｍであることが好ましい。一方、前記金属膜３０１、３０２、３０３、３０４、３０５は、金、モリブデン、タングステン又はクロムにより蒸着されることが好ましい。
【００２６】
次いで、図１ｄに示すように、前記ガラスプレート１００の上面から前記多数枚のシャドーマスク２０１、２０２、２０３、２０４、２０５、２０６を引き剥がす。
【００２７】
次いで、図１ｅに示すように、前記金属膜３０１、３０２、３０３、３０４、３０５が蒸着されていないガラスプレート１００の上面をエッチングして溝部４０１、４０２、４０３、４０４、４０５、４０６を形成する。
【００２８】
ここで、前記金属膜３０１、３０２、３０３、３０４、３０５が蒸着されていないガラスプレート１００の上面が約５μｍ〜３０μｍエッチングされることが好ましい。
【００２９】
以上、本発明を本発明の原理を例示するための好適な実施の形態と関連付けて説明し且つ図示したが、本発明は、このように図示され且つ説明されたそのままの構成及び作用に何等限定されるものではない。
【００３０】
むしろ、当業者であれば、特許請求の範囲の思想及び範囲を逸脱することなく、本発明に多数の変更及び修正を加えることができるということがよく理解できる筈である。
【００３１】
よって、このようなあらゆる適切な変更及び修正並びに均等物もまた本発明の範囲に属するものと見なすべきである。
【図１ａ】
2019150270.tif 000003
【図１ｂ】
2019150270.tif 000004
【図１ｃ】
2019150270.tif 000005
【図１ｄ】
2019150270.tif 000006
【図１ｅ】
2019150270.tif 000007